(57)【要約】【課題】  織物生地の吸汗性や通気性が失われないようにして、じめじめする梅雨場や夏場等における寝苦しさを低減することができる寝具類等に好適であり、しかもデザインの自由度が高くて商品価値の高い織物を提供する。【解決手段】  経糸２と緯糸３よりなる織物の生地１であって、生地における経糸２、緯糸３の糸列における一方あるいは両方の糸列に伸縮性を有する伸縮糸３ａを、この伸縮糸が平行をなす糸列に対して所定間隔を置いて配し、かつ伸縮糸は通常では収縮していて、伸縮糸と同じ方向に通っている他の経糸または緯糸をこの伸縮糸の伸縮方向に弛ませて生地に皺を生じさせた。【選択図】  図１
2009097107.tif 000002
【特許請求の範囲】
【請求項１】
経糸と緯糸よりなる織物の生地であって、生地における経糸、緯糸の糸列における一方あるいは両方の糸列に伸縮性を有する伸縮糸を、この伸縮糸が平行をなす糸列に対して所定間隔を置いて配し、かつ伸縮糸は通常では収縮していて、伸縮糸と同じ方向に通っている他の経糸または緯糸をこの伸縮糸の伸縮方向に弛ませて生地に皺を生じさせてなる織物。
【請求項２】
前記伸縮糸は直交する緯糸または経糸の糸列に対し、所定本数の緯糸または経糸を跨いでこれら緯糸または経糸に絡合するように構成してなる請求項１に記載の織物。
【請求項３】
前記伸縮糸を、隣り合う伸縮糸の絡合間隔と所要の位相差もたせてなる請求項２に記載の織物。
【発明の詳細な説明】
【技術分野】
【０００１】
本発明は、通気性や吸汗性に優れる寝具類等に好適な織物に関する。
【背景技術】
【０００２】
従来、じめじめして寝苦しい梅雨時やさらに暑さが加わり大に寝苦しくなる夏場に用いるシーツ等の寝具の生地には、身体に触れた際にさらっと感と涼しさ与えるように扁平で薄いものが好まれる傾向にある。
【０００３】
しかしながら、上述したシーツ等の寝具は扁平で薄い生地であるため、睡眠中に身体から出た汗を十分には吸収しきれず、寝具の通気性が失われて身体から出る熱の外部発散が非常に小になって快適に眠れないことがあった。
そして、吸汗性を有する織物には、例えば特許文献１のようなものがある。
【０００４】
【特許文献１】特開２００４−５２１９１号公報（第１〜７頁、図１）
【発明の開示】
【発明が解決しようとする課題】
【０００５】
本発明は、織物生地の吸汗性や通気性が失われないようにして、じめじめする梅雨場や夏場等における寝苦しさを低減することができる寝具類等に好適な織物を提供できるようにした。
【課題を解決するための手段】
【０００６】
上述した課題を解決するために、本発明に係る織物は、経糸と緯糸よりなる織物の生地であって、生地における経糸、緯糸の糸列における一方あるいは両方の糸列に伸縮性を有する伸縮糸を、この伸縮糸が平行をなす糸列に対して所定間隔を置いて配し、かつ伸縮糸は通常では収縮していて、伸縮糸と同じ方向に通っている他の経糸または緯糸をこの伸縮糸の伸縮方向に弛ませて生地に皺を生じさせたものとしてある。
【０００７】
また、前記伸縮糸は直交する緯糸または経糸の糸列に対し、所定本数の緯糸または経糸を跨いでこれら緯糸または経糸に絡合するように構成し、また前記伸縮糸を、隣り合う伸縮糸の絡合間隔と所要の位相差もたせた構成のものとしてある。
【発明の効果】
【０００８】
本発明の織物によれば、生地に生じさせた皺で生地表面が凹凸となるので、本織物を寝具類の一つであるシーツに用いた場合、敷布団上におけるシーツの生地面積がこの生地表面に形成されている多数の皺状箇所の生地分だけ増加するためシーツの生地面積が非常に大になり、したがって睡眠中に身体から出た汗をより多く吸収することができる。
【０００９】
そして、上述するように汗を多く吸収できることからシーツが汗によって湿ることも少なくなり、したがって身体から出る熱の外部発散を大にできる。
【００１０】
また、シーツ上の身体とシーツとが接触している部分においても、シーツにおける生地表面の皺は平坦に潰れずに皺部分の生地が不規則に重なるようにして潰れるため、潰れて重なったシーツ生地の隙間からも身体から出る熱を外部に発散させることができるので、じめじめしている梅雨時や暑い夏場での寝苦しさを抑えることができる。
【００１１】
さらには、生地に生じさせた皺で生地表面が凹凸となるので、この凹凸の皺部分でパジャマから露出する腕や足等の肌に適度な刺激を与えることができ、より快適な寝心地を提供できる。
【００１２】
また、伸縮糸の絡合間隔や、隣り合う伸縮糸の絡合間隔の位相を変化させることにより、バリエーションに富んだ凹凸のデザインを演出することができ、本発明の織物を使用した寝具等の商品の価値を向上させることができる。
【発明を実施するための最良の形態】
【００１３】
以下、本発明の織物を添付図面に基づいて説明する。
実施例における符号１は、経糸２と緯糸３とによる織物の生地を示し、また、経糸２は伸縮しないかあるいはあまり伸縮しない糸（以下、非伸縮糸と呼ぶ）、緯糸３における符号３ａの糸は伸縮糸、符号３ｂの糸は伸縮しない非伸縮糸を示している。
【００１４】
生地１は、非伸縮糸の経糸２と、非伸縮糸３ｂの間に所定間隔をおいて伸縮糸３ａを配している緯糸３とで織り上げられている。
また、伸縮糸３ａは経糸２、２に対して所定の間隔をおいて絡合せしめてある。
【００１５】
そして図２、図３に示すように、生地１の緯糸３における伸縮糸３ａは通常では図中の矢印Ａ方向に収縮していて、非伸縮糸からなる経糸２を図中の矢印Ａ方向に寄せている。
【００１６】
これにより、緯糸３における非伸縮糸３ｂが伸縮糸３ａの収縮方向すなわち図中の矢印Ａ方向に弛まされて経糸２（非伸縮糸）と緯糸３における非伸縮糸３ｂとで織られた部分の生地１が弛んで皺４となり、生地１の表裏に皺４（図２参照）による凹凸が形成されるようにしている。
【００１７】
そして、通常では収縮している緯糸３における伸縮糸３ａが収縮方向とは逆の糸の長手方向である図中の矢印Ｂ方向に引っ張られた場合は、図４、図５に示すように、経糸２（非伸縮糸）と緯糸３における非伸縮糸３ｂとで織られた部分における生地１の弛みからなる皺４が解消できるまで伸びるようにしている。
【００１８】
図６は、本発明に係る織物を用いたシーツ５であり、図に示すシーツ５は、布団にシーツ５を装着した際、本発明に係る織物（生地１）が布団の上に位置するように構成しているものを示している。
【００１９】
そして、緯糸３の糸列における非伸縮糸３ｂの間に所定間隔を置いて配する伸縮糸３ａの間隔を、例えば３列や１０列置きに配して非伸縮糸の弛み加減を調整して生地１の表面に形成される皺４の範囲や皺の大きさ、凹凸量を調整して風合いを変える場合もある。
【００２０】
また、実施例では緯糸３の糸列に伸縮糸３ａを配しているが、緯糸３の糸列ではなく経糸２の糸列に伸縮糸を配したり、また、経糸２と緯糸３の糸列いずれにも伸縮糸を配したりする場合もある。
【００２１】
そして、前述する経糸２と緯糸３の糸列それぞれに伸縮糸を配した場合は生地１が縦横の２方向から弛んで皺４となるので、この皺４による凹凸が、実施例の縦もしくは横の１方向から弛んで皺４となり生じた凹凸よりもはっきりと形成することができて、この生地１をシーツ４に用いると、コシのある凹凸の皺４が身体を押して、あたかも指圧を受けるような新規な肌触りを有するシーツ４にすることもできる。
【００２２】
また、隣り合う伸縮糸２ａ、２ａどうしの絡合間隔の位相を同じにすると、カーテン状の襞が形成されるが、これらの位相を異ならしめることにより、凹凸を千鳥状に現出させることもでき、多種多様なデザインの要求に対応させることができる。
【図面の簡単な説明】
【００２３】
【図１】本発明に係る織物の実施例を示す斜視図。
【図２】伸縮糸を収縮させた状態における織物の一部拡大平面図。
【図３】伸縮糸の収縮状態を緯糸の走行方向に沿って示す一部拡大縦断面図。
【図４】伸縮糸を伸張させた状態における織物の一部拡大平面図。
【図５】伸縮糸の伸張状態を緯糸の走行方向に沿って示す一部拡大縦断面図。
【図６】本発明に係る織物を使用したシーツの一例を示す斜視図。
【符号の説明】
【００２４】
１  生地
２  経糸
３  緯糸
３ａ  伸縮糸
３ｂ  非伸縮糸
４  皺
５  シーツ
【図１】
2009097107.tif 000003
【図２】
2009097107.tif 000004
【図３】
2009097107.tif 000005
【図４】
2009097107.tif 000006
【図５】
2009097107.tif 000007
【図６】
2009097107.tif 000008